Podtech/llm-jp-corpus-v4-ja_patent huggingface dataset:
(57)【要約】      （修正有）【課題】衝突防止シールであって、視覚的にも楽しめ、シールとしての強度の確保、作業時間の短縮ができる構造体を提供する。【解決手段】丸又は四角にカットしてエッジを窯で溶かしたカラーガラス２に、１ｍｍ厚のハイクリアな両面テープ３を貼り付けてセットし、両面テープのカバーフィルム４をはがして使用することで、衝突防止マークとしては勿論、片面施工で両側から同じように見えるので、施工時間の短縮を可能にし、光を通して色も視覚的に楽しむことができる。【選択図】図２
0003214298.tif 000002
【実用新案登録請求の範囲】
【請求項１】
ステンドの色ガラスを丸や四角、その他の形などにカットし、窯でエッジを溶かし、そのガラスの裏面に、１ミリ厚の透明度の高い車外用の両面テープをセットすることにより、扉や窓の衝突防止マークとして、両面から同じように見えて使用することができる構造体。
【考案の詳細な説明】
【技術分野】
【０００１】  本考案は、クリアなカラーガラスに肉厚でハイクリアな両面テープをセットにして、衝突防止マークのシールとしての使用に関するものである。
【背景技術】
【０００２】  従来の衝突防止シールは、銀色の不透明なシールが主流で、ガラスの両面から貼っていた。
【考案の概要】
【考案が解決しようとする課題】
【０００３】  従来の衝突防止シールは、銀色が主流で不透明な作りなため、両面テープで貼ると、裏面が見えるため同じ場所にもう一枚貼ることにより、両面から同じように衝突防止マークが、見えるようにしていた。また、同じ個所の両面からの施工により、作業時間も２倍かかってしまうことを解決しようとするものである。
【課題を解決するための手段】
【０００４】  この考案は、クリア系のステンドガラスと、１ｍｍ厚で透明度の高い車外用の両面テープを使うことにより、片面だけの貼り付けでも、両面から同じように見え、色も楽しめるようになる。更に、車外用なため、外部でも使用でき、且つ、両面貼り付けの施工時間を片面の貼り付け時間で済むことにより作業時間の短縮も解決できる。
【考案の効果】
【０００５】  上記のように、本考案のカラーガラス衝突防止シールを使用することにより、視覚的にも楽しめ、シールとしての強度の確保、作業時間の短縮といった効果が期待できる。
【図面の簡単な説明】
【０００６】
【図１】この考案の実施例を示す正面図である。
【図２】この考案の構造体の断面図である。
【考案を実施するための形態】
【０００７】  ステンド用のカラーガラスを約３０ｍｍの丸あるいは、３０ｍｍの正方形にカットしたものを窯で溶かし、触ってもケガをしない程度にエッジを滑らかにする。裏面には、１ｍｍ厚の透明度の高い両面テープをガラスの形に合わせてカットし、貼り付けて、セットする。実際に使用する際には、裏に貼った両面テープのフィルムをはがして、施工面に貼るだけである。
【実施例】
【０００８】  以下、添付図面に沿って一実施例を説明する。１はステンドグラス用の色ガラスを丸や四角にカットし、エッジを丸くし、正面から見た色ガラス、２は、そのガラスを横から見た図、３は、２のガラスの裏面に貼り付けた両面テープで、４は、その両面テープの粘着面についているカバーフィルムで、３の、この両面テープが透明度が高く、１ミリ厚で、屋外でも使用できることで、外部に面した自動ドアなどのガラス面に施工した際に、片面の施工だけで、両側から色合いが同じように見えることになる。【０００９】  本考案の一実施例は、上述の如き構成からなるものであるから、単純に衝突防止マークとして使用することは勿論であるが、色の種類が豊富で片面からは光を通して見えるため、視覚的にも楽しむことができる。
【符号の説明】
【００１０】  １  衝突防止ガラスシール本体（正面図）
２  衝突防止ガラスシール本体（断面図）
３  １ｍｍ厚ハイクリア両面テープ
４  カバーフィルム
【図１】
0003214298.tif 000003
【図２】
0003214298.tif 000004
(57)【要約】      （修正有）【課題】階段を車椅子に乗ったまま移動ができる車椅子移送用担架を提供する。【解決手段】１枚に折りたたむことができる２枚の板２を有し、それぞれの板に持ち手１をつける。フック金具３で車椅子を固定する。車椅子に乗ったまま移送ができる。【選択図】図１
0003214421.tif 000002
【実用新案登録請求の範囲】
【請求項１】
折りたためる枚に２手すり１を付け階段や段さの有る場所で使える折りたたみ式の移送用担架
【考案の詳細な説明】
【技術分野】
【０００１】本考案は、車椅子の方を車椅子に乗ったまま移送するものである
【背景技術】
【０００２】駅の階段を車椅子に乗ったまま移動ができる。階段の移動が速い
【先行技術文献】
【特許文献】
【０００３】
【特許文献１】特関平２０１５−９４０８９号公報  特関平２００３−８８５６０号公報
【非特許文献】
【０００４】ナカ工業株式会社
【考案の概要】
【考案が解決しよとする課題】
【０００５】移動がかんたんにできない手すりや持ち手がない
【課題を解決するための手段】
【０００６】本考案は、２枚にたためる枚に持ち手をつける持ち手は、４つ付ける持ち手を付る事で安全に早く移送がでる事と
【考案の効果】
【０００７】この考案は、いかに早く車椅子の方を移送するための考案です、急に地震や火事の時にいかに早く車椅子の方やケガのした人の移送用担架です
【図面の簡単な説明】
【０００８】
【図１】車椅子を乗た横から見た図
【図２】２枚の板をひらいで上から見図
【図３】２枚の板をおりたたむ図
【図４】２枚の板をおりたたみ半ぶんになった図
【考案を実施するたの形態】
【０００９】２つに畳める事と持ち手を付る事です。収納や搬送が簡単になる事、スロープや段さにも使える事
【実施例】
【００１０】図１は横から見た図で車椅子を乗せた図です【００１１】２は担架の枚  １枚になる１は手すりです手すりは４か所に付ける手すりを付ける事で安定する【００１２】この考案は図１の用うに１の手すりで安定させ車椅子に乗った方を安全に早く移送ができる事です図４の用うに折りたたむ事ができる
【符号の説明】
【００１３】１  持ち手、手すり２  移送用担架の板本体２折りたたむ事で３  フック移送する時に安全のためのフックバンド泊め固定金具フック４  車椅子本体
【図１】
0003214421.tif 000003
【図２】
0003214421.tif 000004
【図３】
0003214421.tif 000005
【図４】
0003214421.tif 000006
【手続補正書】
【提出日】平成29年10月20日(2017.10.20)
【手続補正１】
【補正対象書類名】実用新案登録請求の範囲
【補正対象項目名】全文
【補正方法】変更
【補正の内容】
【実用新案登録請求の範囲】
【請求項１】
１枚に折りたたむことができる２枚の板を有し、それぞれの板に持ち手をつけることで車椅子に乗ったまま移送できる車椅子移送用担架。
(57)【要約】      （修正有）【課題】排水処理浄化槽の上部に浮いた油や汚物、下部に沈殿した凝集物を容易に多量回収でき、しかも回収網は交換自在で作業中に外れる事がない作業性に優れた、排水処理槽の汚泥すくい網を提供する。【解決手段】ステンレス板、厚さ１．２ミリメートルを加工溶接して製作した網取付枠１の上部中央にステンレス棒（６ミリメートルΦ）を加工した柄２を溶接し取り付ける。網取付枠の網取付け溝は深さ１０ミリメートル、巾１９．４ミリメートルであり、この網取付け溝５に水切り袋網３の口輪ゴムを伸ばして嵌めてゴムで縛り状態にして使用する。従って、水切り袋網は作業中に外れることはない。水切り袋網３は開口部に円周約６０センチメートルの口輪ゴムを備え、深さは約２５センチメートル、網目は１．５ミリメートルである。【選択図】図１
0003214422.tif 000002
【実用新案登録請求の範囲】
【請求項１】
網取付け枠（１）の上部に柄（２）を設け、網取付け溝（５）に水切り袋網（３）を、網の口輪ゴム（４）で縛り着けてなる排水処理槽の汚泥すくい網である。
【考案の詳細な説明】
【技術分野】
【０００１】  本考案は厨房排水浄化処理槽で水と分離し上部に浮いたり、下部に沈殿した凝集物を効率良くすくい取るための排水処理槽の汚泥すくい網である。
【背景技術】
【０００２】  従来、一搬に使用されているすくい網は、網底が浅く、すくい取る量が少なかった。又、下部に沈殿した凝集物はほんど、すくえなかった。
網は鉄線のメッシュであり、粘性の油や汚泥を一回すくうと網は目詰まりして、その都度洗い流していた。
専用の排水処理槽の汚泥すくい網はなかった。
【先行技術文献】
【特許文献】
【０００３】
【特許文献１】特開２０１６−２１５１７１
【非特許文献】
【０００４】
【非特許文献１】実用新案出願公開  昭６３−１５１５３６
【非特許文献２】実用新案登録番号  第３０６２４１６号
【考案の概要】
【考案が解決しようとする課題】
【０００５】従来のすくい網は
イ、１回で回収できる量が少ない。
ロ、網の開口部が広く、柄と直線的で曲がりがなく下部に沈殿した凝集物はすくい取れな  かった。
ハ、網が鉄線のメッシュであり網は目詰まりし毎回大量の水で洗い流していた
本考案はこれらの欠点を一気に解決したものである。
【課題を解決するための手段】
【０００６】網取付け枠（１）に柄（２）を取り付け、市販の水切り袋網（３）の開口部の口輪ゴム（４）を網取付け枠（１）の網取付け溝（５）に縛りつける構造である。  本考案は以上の構成よりなる、排水処理槽の汚泥すくい網である。
本考案を実施する時は先ず、水切り袋網（３）の口輪ゴムを伸ばし取付け枠（１）の溝（５）にはめて使用する。回収口（６）から汚泥は入るが網取付け枠（１）は形が小さいので排水処理槽の底の汚泥も横方向に移動するだけで簡単にすくい取ることができる。又、水切り袋網（３）は伸びるので１回の使用で大量の汚泥回収が出来る。
【考案の効果】
【０００７】  本考案を使用することによって
１．１回の使用で大量の汚泥が回収できる。
２．排水処理槽の底部の汚泥も回収できる。
３．袋網の着脱が自在で交換し易い。
４．取付けた袋網は簡単には外れないため作業性が良い。
５．袋網の取り替えが簡単である。
６．洗浄用の水量が少なくて省エネルギーで済む。
【図面の簡単な説明】
【０００８】
【図１】  本考案の全体斜視図
【図２】  袋網取付枠の製作手順（例）の斜視図
【図３】  本考案に取り付ける袋網の斜視図
【考案を実施するための形態】
【０００９】本考案を実施する時は先ず、水切り袋網（３）の口輪ゴム（４）を伸ばし取付け枠（１）の網取付け溝（５）にはめてゴムで縛り状態にして使用する。
従って、水切りネットは作業中に外れることはない。
柄（２）を持ち排水処理槽の上部に浮いた汚泥や凝集物の位置に回収口（６）を合わせ横に動かして凝集物や汚泥をすくい取る。
網取付け枠（１）はステンレス製で丈夫で回収口（６）は縦９４ミリメーター横１７４ミリメーターと狭いので排水処理槽の底の汚泥も横方向に移動するだけで簡単にすくい取ることができる。
柄もステンレス製で丈夫で作業中に変形しない。
又、水切り袋網（３）は回収量が増えると伸びるので１回の使用で大量（１キログラム）の回収が出来る。
網袋が満杯になったら取り外し上部を紐で縛り廃棄物とする。
袋網を取り外した網取付け枠も柄も洗浄するが少量の水でよい。
次に、新しい袋網と取替えるが、網取付け枠は表裏対称の形であり、左右の利き手に関係なく、どちらでも取替え作業が簡単である。
【実施例】
【００１０】  以下、本考案の実施例をのべる。
ステンレス板、厚さ１．２ミリメートルを加工溶接して製作した網取付枠（１）の上部中央にステンレス棒（６ミリメートルΦ）を加工した柄（２）を溶接し取り付ける。
網取付枠の網取付け溝は深さ１０ミリメートル、巾１９．４ミリメートルであり、この網取付け溝（５）に水切り袋網（３）の口輪ゴム（４）を伸ばして嵌めてゴムで縛り状態にして使用する。
従って、水切り袋網は作業中に外れることはない
市販の水切り袋網（４）は開口部に円周（約６０センチメートル）の口輪ゴム（４）を備え、深さは（約２５センチメートル）、網目は１．５ミリメートルである。  本考案は以上の構成よりなる、排水処理槽の汚泥すくい網である。
本考案を実施する時は先ず、水切り袋網（３）を取付けた汚泥すくい網の柄（２）を持ち排水処理槽の上部に浮いた凝集物や汚泥の位置に回収口（６）を合わせ横に動かして凝集物や汚泥をすくい取る。
網取付け枠（１）は高さ１０．４センチメートル、横巾１９．４センチメートルと小型で、本考案の総重量は３３０グラムと軽いので、作業し易く排水処理槽の底の汚泥も横方向に移動するだけで簡単にすくい取ることができる。
又、水切り袋網（３）は伸びるので１回の使用で大量（１キログラム）の回収が出来る。
袋網が満杯になったら取り外し上部を紐で縛り廃棄物とする。
袋網を取り外した網取付け枠も柄も洗浄するが少量の水でよい。
次に、新しい袋網と取替えるが、網取付け枠は表裏対称の形であり、左右、利き手に関係なく、どちらでも取替えが簡単である。
【産業上の利用可能性】
【００１１】  網を横向きに動かして大量の汚物を水切り袋網に回収出来るので深い水槽の沈殿物や一般家庭の排水口の出口等にも利用できる。
【符号の説明】
【００１２】１．袋網取付け枠
２．柄
３．袋網
４．袋網の口輪ゴム
５．網取付け溝
６．回収口
７．枠の溶接箇所斜視図
８．正面及び背面つば板の溶接箇所斜視図
９．枠と背面つば板の一周溶接箇所斜視図
１０．枠と正面つば板の一周溶接箇所斜視図
【図１】
0003214422.tif 000003
【図２】
0003214422.tif 000004
【図３】
0003214422.tif 000005
【手続補正書】
【提出日】平成29年10月23日(2017.10.23)
【手続補正１】
【補正対象書類名】実用新案登録請求の範囲
【補正対象項目名】全文
【補正方法】変更
【補正の内容】
【実用新案登録請求の範囲】
【請求項１】
網取付け枠（１）の上部に柄（２）を設け、網取付け枠（１）の網取付け溝（５）に水切り袋網（３）を、網の口輪ゴム（４）で縛り着けてなる排水処理槽の汚泥すくい網。
(57)【要約】      （修正有）【課題】高齢者、一人暮らしの人あるいは肩や上肢の障害者にも容易に使用できる、アーチ状の腕とその先端に洗濯バサミ様の保持器を持つ軟膏塗布具を提供する。【解決手段】楕円形状のアーチの腕１を少し長めにして、器具の先端に洗濯バサミのような構造物３を取り付け、これにディスポのパフやガーゼを挟んで、外用剤を塗りつけたり、あるいは染み込ませて使用できるようにした。材質は、プラスチック製で、安価、製造過程もシンプル、軽量、洗浄可能で、利用者の力加減で圧迫力も調整できる。また、しっかりグリップできるように、適度な大きさにして、把持部２に滑り止めを施した。腕の部分を折りたたみ式にすれば、携帯することも容易になる。【選択図】図１
0003214427.tif 000002
【実用新案登録請求の範囲】
【請求項１】
楕円形状アーチの長い腕とその先端に洗濯バサミ状の把持器を持つ軟膏塗布具で、簡便、正確、軽量、携帯、清潔、安価や耐久性を有するなどの特徴を持つｏｉｎｔｍｅｎｔ  ａｐｐｌｉｅｒである。
【考案の詳細な説明】
【技術分野】
【０００１】  本考案は、軟膏塗布具に関するものである。
【背景技術】
【０００２】  高齢者、一人暮らしの人及び上肢や肩などに障害を持っている人等は、背中、臀部や下肢など手が届きにくい部位の痒みなどの皮膚症状（湿疹、真菌症）や疼痛などに、効果のある外用剤を塗布したくても、技術的あるいは物理的に塗布できないことが多いので、これを解決するための軟膏塗布具を考案した。痒みに対しては、孫の手を利用して掻くことができるが、特許文献１は、このような器具を開示している。また、痒みに対してだけでなく、疼痛などにも適応させた孫の手に、市販の薬品を保持できるようにして、患部に外用剤を塗布する器具が特許文献２に開示されている。
【先行技術文献】
【特許文献】
【０００３】
【特許文献１】特許公開２００６−２１２３７１
【特許文献２】特許公開２００７−２６８２３４
【考案の概要】
【考案が解決しようとする課題】
【０００４】  従来の孫の手は、形状が直線的であるため、柔軟性のない高齢者、肩や上肢などに障害を持っている人は、器具が届かない、あるいは正確な部位に外用剤を塗れない。【０００５】  外用剤を貼付具に保持させる準備段階で、高齢者等には取り扱いが難しい。さらに、処方された軟膏等を塗ることが難しい構造になっている。【０００６】  患部に貼り付けるにはある程度の圧迫力を必要とするが、器具の構造が直線的であるので、関節可動域が狭い高齢者や障害者等では困難と思われる。
【課題を解決するための手段】
【０００７】  以上の従来の技術的な問題点に鑑み、今回は、高齢者や障害者にも、外用剤を含んだパフやガーゼをできるだけ簡単に着脱でき、しかも何度も取り替えができるので清潔であり、シンプルに正確に患部に塗布できる構造にした。【０００８】  器具の腕を少し長めにして、且つ楕円形状のアーチをつけることで、障害者や高齢者でも容易に患部に届くようにした。【０００９】  また、器具の先端に洗濯バサミのような構造物を取り付け、これに取り替え可能なパフやティッシュ、あるいはガーゼを挟んで、外用剤を塗りつけたり、あるいは染み込ませて使用できるようにしたので、衛生面でも改善できた。【００１０】  材質は、プラスチック製で、安価、製造過程もシンプル、軽量、洗浄可能、ある程度の耐久性を持ち、利用者の力加減で圧迫力も調整できる。また、支持部は、手でしっかりグリップできるような大きさにし、滑り止めを施した。さらに、腕の部分を折りたたみ式にすれば、コンパクトになり、携帯することも容易になる。
【考案の効果】  本考案によれば、塗布の安定性、正確性、簡易性の他に、安価であり、また、衛生的で軽量、しかも携帯性も優れている。特に柔軟性の低下した高齢者や一人暮らしの人、あるいは肩や上肢に障害がある方でも比較的使いやすい構造になっている。
【図面の簡単な説明】
【００１１】
【図１】正面図である。
【図２】先端部の拡大図である。
【図３】使用時の状態を示す斜視図である。
【図４】参考数値を示す
【符号の説明】
【００１２】１  楕円形状アーチ（腕）
２  滑り止めのついた把持部（グリップ部）
３  洗濯バサミ状の保持部（ガーゼやパフを挟む）
【図１】
0003214427.tif 000003
【図２】
0003214427.tif 000004
【図３】
0003214427.tif 000005
【図４】
0003214427.tif 000006
(57)【要約】      （修正有）【課題】各人の足裏のつぼに合わせて移動可能なつぼ押しチップを設けたインソールを提供する。【解決手段】靴の中敷きのインソール１に、複数個の孔を設け、その孔に合致するつぼ押しチップ３を複数個設け、各人の足裏のつぼに合わせて、つぼ押しチップを移動して使用する。【選択図】図３
0003214423.tif 000002
【実用新案登録請求の範囲】
【請求項１】
インソール（１）に複数個の孔（２）を設け、それに合致するつぼ押しチップ（３）を複数個設けたインソール。
【考案の詳細な説明】
【技術分野】
【０００１】  靴の中敷きのインソール（１）に、複数個の孔（２）を設け、その孔に合致するつぼ押しチップ（３）を複数個設け、各人の足裏のつぼにつぼ押しチップ（３）を合致させるために、つぼ押しチップ（３）を移動することができるインソール。
【考案の概要】
【考案が解決しようとする課題】
【０００２】  従来のインソールにも足裏のつぼ押しを目的とした凹凸部の付いているものは、いろいろあったが、各人の足裏のつぼに合致させるために移動できるものはなかった。
【課題を解決するための手段】
【０００３】  靴の中敷きのインソール（１）に、複数個の孔（２）を設け、その孔に合致するつぼ押しチップ（３）を複数個もうけ、各人の足裏のつぼにつぼ押しチップ（３）を合致させるために、つぼ押しチップ（３）を移動して使用する。
【考案の効果】
【０００４】  インソールのつぼ押しチップを使用する各人の足裏のつぼに合致させるこができ足裏の血流を促すことができる。
【図面の簡単な説明】
【０００５】
【図１】  本考案の穴あきインソールの平面図である。
【図２】  本考案のつぼ押しチップの側面図である。
【図３】  本考案の穴あきインソールにつぼ押しチップを挿入した一部分の側面拡大図である。
【考案を実施するための形態】
【０００６】  靴の中敷きであるインソールに複数個の孔を設け、その孔に合致するつぼ押しチップを複数個設ける。
【実施例】
【０００７】  インソールの複数個の孔に、自分の足裏のつぼに合わせてつぼ押しチップを挿入合致させ使用する。
【符号の説明】
【０００８】１  穴あきインソール
２  つぼ押しチップ
【図１】
0003214423.tif 000003
【図２】
0003214423.tif 000004
【図３】
0003214423.tif 000005
(57)【要約】      （修正有）【課題】プール又は船舶に設置し、水からプールサイド又は船舶に、容易且つ安全に上がることができるエレベーターを提供する。【解決手段】エアーコンプレッサーとエアーシリンダーを接続し、エアーコンプレッサーから、エアーシリンダーに空気が送られると、エアーシリンダー内部の空気格納部が膨張し、エアーシリンダーのヘッド部が動作することを利用し、ヘッド部とステップ部とを連動させて、ステップ部に利用者を乗せることで、利用者を上昇させる仕組みにする。【選択図】図１
0003214414.tif 000002
【実用新案登録請求の範囲】
水泳競技及び、水から上がれることができるエレベーターとする。
特に水泳競技では、競技者が競技を行った後に、体力を消耗してしまい、競技者によっては、そのままレーンからプールサイドに挙がれず、プール両端より挙がるため、一旦はプールサイド側レーンへ移動した後に、プールサイドへ挙がる競技者（選手）もいる。
この状況に対して、本新案では、競技者が水泳競技を終えた後（または、ウォーミングアップ等）に、このエレベーターを使うことで、そのままスムーズに、プールサイド上に挙がることができる装置である。
このエレベーターは、設置の基本をコース毎または、１機／２レーン等の組み合わせ（利用側で自由に設置可能）により、レーンに設置し、水泳競技者が競技終了した後（プールサイドに挙がる際）に、水（プール）から容易にプールサイドに挙げることができるものである。
また、この仕組み（機構）においては、船舶に設置することで、従来、スキューバダイビング等で、ボンベを体に装着した状態で、容易に安全に、船舶の船上に挙がることができる。
【考案の詳細な説明】
基本利用としては、プール及び、ボート等に設置し、水からプールサイド、船舶の船上へと挙がることができる機能を備えた危機である。
このため、特にプールでは、油、電気等を用いることができなので、機器の基本構造としては、空気制御または、水制御を活用することで、利用者の危険リスク回避を可能とする造りを前提とする。（基本設計案）
駆動の仕組みとしては、空気圧または、水圧による力で、人を乗せたステップまたは、人を支える（乗せることのできるステップ）台を上下に駆動させることができる。
基本的な動作（イメージ）は、利用者（エレベータ搭乗者）は、ステップに足を乗せた後に、動作開始ボタンを押す等の簡単操作で、ステップが上昇し、利用者を上昇させて、プールサイド（上部）に挙げることができる仕組みとする。
0003214414.tif 000003
【手続補正書】
【提出日】平成29年8月7日(2017.8.7)
【手続補正１】
【補正対象書類名】実用新案登録請求の範囲
【補正対象項目名】全文
【補正方法】変更
【補正の内容】
【実用新案登録請求の範囲】
【請求項１】
水中から上がれることができる装置、エレベーターである。
水泳競技では、競技者が競技が終わった際に、体力を消耗してしまい、競技者によっては、水からプールサイドに上れなくなる者も出ているのが現状であるが、この装置は競技者が競技終了後に、水から容易にプールサイドに上がれる装置であり、更に、この仕組みを利用し、船舶に設置することで、スキューバダイビングでは、ボンベ等、関連の機材を装着した状態で、容易に安全に、船舶から上がることができるエレベーターである。
【手続補正２】
【補正対象書類名】明細書
【補正対象項目名】全文
【補正方法】変更
【補正の内容】
【考案の詳細な説明】
【技術分野】  基本利用としては、プール及び、船舶ボートに設置し、水からプールサイド、水から船舶へと上がることができる機能を備えたエレベーターである。
プールでの設置では、時に、油、電気等を用いることができなので機器の基本構造としては、空気制御による装置として、エアーシリンダーを使うことで、シリンダーの動力で、利用者を水からプールへ、水から船舶へと上がることのできるエレーベーターである。
【図面の簡単な説明】
【図１】  エアーコンプレッサーから、エアーシリンダーに空気が送られると、空気格納部が膨張し、エアーシリンダーのヘッド部が動作することを利用し、ヘッド部とステップ部とを連動させて、ステップ部に利用者を乗せることで、利用者を上昇させる仕組みにして、エレベーターとして製作する。
【手続補正３】
【補正対象書類名】図面
【補正対象項目名】全図
【補正方法】変更
【補正の内容】
【図１】
0003214414.tif 000004
【手続補正書】
【提出日】平成29年10月24日(2017.10.24)
【手続補正１】
【補正対象書類名】実用新案登録請求の範囲
【補正対象項目名】全文
【補正方法】変更
【補正の内容】
【実用新案登録請求の範囲】
【請求項１】
空気、油、水用シリンダーを使った、圧力で駆動するエレベーターで、シリンダーにステップ等を連結させて、水泳競技者等を乗せて、水からプールサイドに容易に上がれる物で、同様に船舶に設置することで、スキューバダイビング等では、ボンベ等の機材を装着した状態で、船舶へ容易に安全に上がることができるエレベーター。
(57)【要約】      （修正有）【課題】二つのステレオパワーアンプを否連動及び連動させることによって、それぞれのスピーカーを好みの音や状況に応じた音に設定できるようにし、一つのボリュームで全体の音の調整ができる否連動及び連動ダブルステレオパワーアンプを提供する。【解決手段】中高音域用のステレオパワーアンプと低音域用のステレオパワーアンプとの間に否連動及び連動の切り替えスイッチ３を設置し、否連動では中高音域用のボリューム５と低音域用ボリューム４を独立させて音の強弱がつけられ、連動ではいずれかのステレオパワーアンプのボリュームで全体の音の調整が行える。【選択図】図１
0003214418.tif 000002
【実用新案登録請求の範囲】
【請求項１】
一つのステレオパワーアンプでは、左右のスピーカーボックス内の中高音域、低音域用のスピーカーを鳴らすのに最初のチューニングで固定化するので、ステレオパワーアンプを二つにし、中高音域用と低音域用に振り分け、個人の好みの音にしたり深夜に低音域の音を弱めたりたりするところを特徴としての否連動及び連動ダブルステレオパワーアンプ。
【考案の詳細な説明】
【技術分野】
【０００１】  本校案は、否連動及び連動する配線回路を設けた、ダブルステレオパワーアンプに関するものである。
【背景技術】
【０００２】  ステレオコンポや２．１ｃｈホーム・シアター・システムは、一つのステレオパワーアンプで異なる複数のスピーカーの音を鳴らすのに製作段階でチューニングして市販されている。
【先行技術文献】
【非特許文献】
【０００３】
【非特許文献１】「オンキョウ＆パイオニア株式会社」ＯＮＫＹＯホームシアターシステムカタログ  Ｖｏｌ．９  ２０１６年  ｐ．１
【考案の概要】
【考案が解決しようとする課題】
【０００４】  一つのステレオパワーアンプでは、中音域の声だけを強くしたり、低音域のドラムの音だけを低くしたりすることは一つのボリュームでは限界がある．従って、ＴＶやパソコンから入力した音源をもう一つのステレオパワーアンプに流し、配線回路上の切り替えスイッチで、個人の好きな音作りや状況に応じた音作りが二つのボリューム操作で可能になり前述の課題を解決しようとするものである。
【課題を解決するための手段】
【０００５】  本考案は、二つのステレオパワーアンプに分配器で音源を入力し、それぞれのアンプのボリュウームで好みの音や状況に応じた音に設定する。分配器からもう一つアウトプットを作りパワーアンプ付きのサブウハーで重低音が出せるようにしている。更に、一つのステレオパワーアンプのボリュームと直結した出力を他方のアンプに入力する切り替えスイッチ回路を設ける。スイッチを切り替えると本源との否連動入力回路が切れ、一つのアンプのボリュームだけで連動した音の強弱の調節が出来るようにしたものである。
【考案の効果】
【０００６】  上述の様に、本考案の音源入力を三つにしサブウハースピーカー接続を可能にし、中高音域スピーカーを鳴らすステレオパワーアンプの独立、低音域のスピーカーを鳴らすステレオパワーアンプ設置することで、好みや状況に応じた音作りが可能になり、迫力あるサウンドを聞くことが出来る。
【図面の簡単な説明】
【０００７】
【図１】本考案の否連動及び連動ダブルステレオパワーアンプの一実施例を示す平面図である。
【図２】本否連動及び連動ダブルステレオアンプの一部の操作パネルの正面図
【考案を実施するための形態】
【０００８】  入力を三つのアンプのために分配器を設け、Ｂステレオパワーアンプにつながる途中の部分に否連動及び連動の切り替えスイッチを設置し、Ａステレオパワーアンプのボリュームと連動することが出来るように施し、更にｉｎ  ｐｕｔ回路がｏｕｔ  ｐｕｔに常時つながっているようにしてアンプ付き重低音用のスピーカーが取り付けれるように施す。従って、４ｃｈシステムが４．１ｃｈシステムにもシステムアップが出来るようになる。これで、それぞれのアンプに繋がっているスピーカーをそれぞれのボリュームで独立して強弱を付けることが出来、ＡステレオパワーアンプからＢステレオパワーアンプに連動すれば、Ａアンプのボリュームだけで全体のスピーカーの音の強弱が付けれる。
【実施例】
【０００９】  以下、添付付き図面１に従って一事例を説明する。二つのｉｎ  ｐｕｔにＴＶとパソコンのヘッドホン端子につなぎ２の切り替えスイッチで、どちらかの音源を選ぶ。８の分配器でｏｕｔ  ｐｕｔを作り、アンプ付き重低音用スピーカーを接続可能にし４ｃｈから４．１ｃｈへシステムアップ出来るようする。３の切り替えスイッチでは左の方に矢印を向け、Ａアンプと否連動とし、低音域用スピーカーのアンプのボリュームで好きな強さに設定し、同じく中高音域用スピーカーのアンプのボリュームで好きな強さに設定。３の切り替えスイッチの矢印を右の方に向け、ＡアンプとＢアンプを連動させ、Ａアンプのボリュームで全体の音の調整を行えるようにしておく。
添付図面２は、操作が左から順にスイッチを入れていくように配置し、自然に指が動くように配置したものである。
【符号の説明】
【００１０】  １  切り替えスイッチ
２  電源供給  オン、オフスイッチ
３  切り替えスイッチ
４  Ａステレオパワーアンプのボリューム
５  Ｂステレオパワーアンプのボリューム
６  中高音域用スピーカー
７  低音域用スピーカー
８  分配器
９  アンプ付き重低音域用スピーカーへのｏｕｔ  ｐｕｔ
１０  ＬＥＤライト
１１  ＡＣアダプター
【図１】
0003214418.tif 000003
【図２】
0003214418.tif 000004
【手続補正書】
【提出日】平成29年10月14日(2017.10.14)
【手続補正１】
【補正対象書類名】実用新案登録請求の範囲
【補正対象項目名】請求項１
【補正方法】変更
【補正の内容】
【請求項１】
中高音域用のステレオパワーアンプと低音域用のステレオパワーアンプとの間に否連動及び連動の切り替えスイッチを設置し、否連動では中高音域用のボリュームと低音域用ボリュームを独立させて音の強弱がつけられ、連動ではいずれかのステレオパワーアンプのボリュウームで全体の音の調整が行える、否連動及び連動ダブルステレオパワーアンプ。
(57)【要約】      （修正有）【課題】実際にイヌの耳を診断治療しているかのような体感ができるイヌの耳処置実習シミュレーションが可能なイヌ耳モデルを提供する。【解決手段】耳介及び外耳道を再現したイヌ耳を模した人形であり、イヌ頭部を模した人形に装着する。実際の耳処置を疑似体験できる。【選択図】図５
0003214419.tif 000002
【実用新案登録請求の範囲】
【請求項１】
イヌの耳を模した人形で、イヌ耳の疾病診断および耳そうじの技術訓練用のイヌ耳モデル。
【請求項２】
イヌ耳モデルを用いて実施訓練する際に、土台となるイヌの頭部モデル。
【考案の詳細な説明】
【技術分野】
【０００１】  本開発はイヌの耳を再現した動物医療用モデルである。
【背景技術】
【０００２】  動物医療のトレーニングには実験動物が用いられるが、ヒト医療だけでなく動物医療でも代替法の開発が推奨される。動物医療実習において、イヌ耳の疾病診断および耳そうじの技術訓練をするためのイヌ耳シュミレーションモデルを作成した。
【先行技術文献】
【０００３】
【特許文献１】イヌ・ネコの肛門モデル  実登３１８７９３６
【特許文献２】ネコ触診モデル  実登３１８７９３７
【特許文献３】イヌ・ネコの新生児モデル  実登３２０１６４７
【特許文献４】イヌ・ネコの出産モデル  実登３２０１６４８
【特許文献５】イヌ乳腺腫瘍触診モデル  実登３２０７６１８
【考案の概要】
【考案が解決しようとする課題】
【０００４】獣医療実習には健常な実験動物を用いることが一般的である。シミュレーション教材として本開発を用いることは、動物への負担が軽減され動物福祉の理念にも適合する。生体に近いイヌ耳の治療的な処置実習が可能な、イヌ耳モデルを提供することで動物医療の技術が向上する。
【課題を解決するための手段】
【０００５】塩化ビニールを用いた軟らかな素材で、生体と同様な解剖と感触をもつ耳介及び外耳道を再現したイヌ耳モデルを作成した。さらに、イヌ耳モデルを装着するための土台となるイヌの頭部モデルを作成した。
【考案の効果】
【０００６】獣医師・動物看護師・イヌ美容師の実習教育の場において耳処置のシミュレーションが可能となる。
【図面の簡単な説明】
【０００７】
【図１】イヌの耳介モデル
【図２】イヌの外耳道モデル
【図３】イヌの耳モデル（一体となったもの）
【図４】装着前の頭部モデル
【図５】完成した頭部モデル
【考案を実施するための形態】
【０００８】本発明について詳細に説明する。本発明は、イヌの耳の解剖・感触・色彩を再現した人形を、イヌの頭部を模した人形に装着したものである。
【実施例】
【０００９】イヌの耳介を模した人形（図１）は、その下部に当たるイヌの外耳道を模した人形（図２）と、凹凸部で結合しイヌ耳モデルとなり（図３）、イヌの耳の観察法と耳掃除の実習が可能となる。これを更に、イヌの頭部を模した模型に装着すると（図４、図５）、臨床的な教材としての臨場感が飛躍的に上がる。
【図１】
0003214419.tif 000003
【図２】
0003214419.tif 000004
【図３】
0003214419.tif 000005
【図４】
0003214419.tif 000006
【図５】
0003214419.tif 000007
【手続補正書】
【提出日】平成29年10月20日(2017.10.20)
【手続補正１】
【補正対象書類名】実用新案登録請求の範囲
【補正対象項目名】全文
【補正方法】変更
【補正の内容】
【実用新案登録請求の範囲】
【請求項１】
耳介および外耳道を再現したイヌの耳を模した人形で、イヌ耳の疾病診断および耳そうじの技術訓練用のイヌ耳モデル。
【請求項２】
請求項１に記載のイヌ耳モデルを装着できるイヌの頭部モデル。
(57)【要約】      （修正有）【課題】１つの本体で同時に複数の範囲に光を照射することのできるＬＥＤ懐中電灯を提供する。【解決手段】光を照射するための光源として、円柱型の本体１の先端部に設置されたメインの光源２に加えて、円柱型の本体の軸方向に対して垂直方向が回転軸となるように２７０度回転可能な２つのサブ光源３を設ける。それぞれのサブ光源の向きをメイン光源と異なる方向に向けることにより、１つの本体で同時に複数の範囲を照らすことが可能である。【選択図】図１
0003214466.tif 000002
【実用新案登録請求の範囲】
【請求項１】
ＬＥＤ懐中電灯において、光を照射するための光源として、円柱型の本体の先端部に設置されたメインの光源に加えて、円柱型の本体の軸方向に対して垂直方向が回転軸となるように２７０度回転可能な２つのサブ光源を設けることで、それぞれのサブ光源の向きをメイン光源と異なる方向に向けることにより、１つの本体で同時に複数の範囲を照らすことが可能であることを特徴とするＬＥＤ懐中電灯。
【考案の詳細な説明】
【技術分野】
【０００１】
本考案は、１つの本体で同時に複数の範囲に光を照射するための構造を備えたＬＥＤ懐中電灯に関するものである。
【考案の概要】
【考案が解決しようとする課題】
【０００２】
ＬＥＤ懐中電灯において、１つの本体で同時に複数の範囲に光を照射させようとするものである。
【課題を解決するための手段】
【０００３】
本考案は、ＬＥＤ懐中電灯において、光源として、円柱型の本体の先端部に設けたメインの光源の他に、円柱型の本体の軸方向に対して垂直方向を回転軸とするように２７０度回転可能なサブ光源を２つ設け、その２つの光源をそれぞれメイン光源と異なる方向に向けることにより、１つの本体で同時に複数の範囲に光を照射する。
【考案の効果】
【０００４】
上述の様に、ＬＥＤ懐中電灯において、１つの本体にメインの光源の他に２つのサブ光源を設け、そのサブ光源を可動式とすることにより、１つの本体で同時に複数の範囲に光を照射することが可能となる。
【図面の簡単な説明】
【０００５】
【図１】本ＬＥＤ懐中電灯の上面図である。
【図２】本ＬＥＤ懐中電灯の正面図である。
【図３】本ＬＥＤ懐中電灯の側面図である。
【図４】本ＬＥＤ懐中電灯のサブ光源を９０度回転させた状態の側面図である。
【符号の説明】
【０００６】
１  本体
２  メイン光源
３  サブ光源
【図１】
0003214466.tif 000003
【図２】
0003214466.tif 000004
【図３】
0003214466.tif 000005
【図４】
0003214466.tif 000006
(57)【要約】【課題】耐火性および防音性が高く、さらに軽量で施工しやすく、断熱性があり、反りにくい不燃性天井材を提供する。【解決手段】不燃性天井材１は、不燃性発泡樹脂板２の全体を不燃性シート３で被覆して成る。不燃性発泡樹脂板２は、長方形の板状をなし、４辺の縁部にあいじゃくりのための実部４を有している。実部４は、隣り合う２辺で縁部の上側が突出して形成され、他の２辺で縁部の下側が突出して形成されている。複数枚の不燃性天井材１を実部４で重ねて施工することができる。【選択図】図１
0003214464.tif 000002
【実用新案登録請求の範囲】
【請求項１】
不燃性発泡樹脂板の全体を不燃性シートで被覆して成ることを、特徴とする不燃性天井材。
【請求項２】
前記不燃性発泡樹脂板は長方形の板状をなし、４辺の縁部にあいじゃくりのための実部を有することを、特徴とする請求項１記載の不燃性天井材。
【考案の詳細な説明】
【技術分野】
【０００１】
本考案は、不燃性発泡樹脂板を用いた不燃性天井材に関する。
【背景技術】
【０００２】
従来、発泡樹脂板を金属外皮で包み込んで成る天井パネルが知られている（例えば、特許文献１参照）。発泡樹脂板の使用により軽量化が図られ、金属外皮で包み込むことにより、耐火性と構造強度の向上とが図られている。
【先行技術文献】
【特許文献】
【０００３】
【特許文献１】特開２００１−５９３０８号公報
【考案の概要】
【考案が解決しようとする課題】
【０００４】
しかしながら、特許文献１の天井パネルでは、金属外皮から熱が発泡樹脂板や壁材などに伝わりやすいため、耐火性を十分に得ることができないという課題があった。また、金属外皮は、音を反射しやすいため、防音性に欠けるという課題があった。
【０００５】
本考案は、このような課題に着目してなされたもので、耐火性および防音性が高い不燃性天井材を提供することを目的とする。
【課題を解決するための手段】
【０００６】
上記目的を達成するために、本考案に係る不燃性天井材は、不燃性発泡樹脂板の全体を不燃性シートで被覆して成ることを、特徴とする。
本考案に係る不燃性天井材は、不燃性発泡樹脂板および不燃性シートから成るため、燃えにくく、耐火性が高い。また、吸音性を有し、反響音を抑えることができる。また、軽量で施工しやすく、断熱性がある。さらに、不燃性発泡樹脂板の全体が不燃性シートで被覆されるため、反りにくい。
【０００７】
本考案に係る不燃性天井材において、前記不燃性発泡樹脂板は長方形の板状をなし、４辺の縁部にあいじゃくりのための実部を有することが好ましい。
この場合、複数枚の不燃性天井材を実部で重ね、接合部分を目立たせずに天井施工することができる。
【考案の効果】
【０００８】
本考案によれば、耐火性および防音性が高く、さらに軽量で施工しやすく、断熱性があり、反りにくい不燃性天井材を提供することができる。
【図面の簡単な説明】
【０００９】
【図１】本考案の実施の形態の不燃性天井材を示す斜視図である。
【図２】図１の不燃性天井材を示す断面図である。
【考案を実施するための形態】
【００１０】
以下、図面に基づき本考案の実施の形態について説明する。
図１および図２は、本考案の実施の形態の不燃性天井材を示している。
図１および図２に示すように、不燃性天井材１は、不燃性発泡樹脂板２の全体を不燃性シート３で被覆して成る。不燃性発泡樹脂板２は、長方形の板状をなし、４辺の縁部にあいじゃくりのための実部４を有している。実部４は、隣り合う２辺で縁部の上側が突出して形成され、他の２辺で縁部の下側が突出して形成されている。
【００１１】
本考案の実施の形態の不燃性天井材１は、不燃性発泡樹脂板２および不燃性シート３から成るため、燃えにくく、耐火性が高い。また、吸音性を有し、反響音を抑えることができる。また、軽量で施工しやすく、断熱性がある。さらに、不燃性発泡樹脂板２の全体が不燃性シート３で被覆されるため、反りにくい。複数枚の不燃性天井材１を実部４で重ねて取り付けることにより、接合部分を目立たせずに天井施工することができる。
【符号の説明】
【００１２】
１  不燃性天井材
２  不燃性発泡樹脂板
３  不燃性シート
４  実部
【図１】
0003214464.tif 000003
【図２】
0003214464.tif 000004
(57)【要約】【課題】  ブレーキペダルとアクセルペダルを踏み間違えた場合に、自動車の暴走を防ぎ、たとえ事故があってもその度合いを最小限に抑えることのできる自動車エンジンの緊急停止装置を提供する。【解決手段】  自動車エンジンの緊急停止装置であって、自動車に積載されたバッテリー６からエンジン部８に電源供給する電気ケーブル７ａ、７ｂの間にスイッチ５を設け、該スイッチ５は、自動車のスロットルボディ３に取付け固定し、アクセルペダル１の踏込みに応じて連動するスロットルボディ３内のスロットルバルブ回転軸３ａに連結された操作体４の接近またはアクチュエータ５ａへの当接によりオフ作動する。【選択図】図１
0003214447.tif 000002
【実用新案登録請求の範囲】
【請求項１】
自動車エンジンの緊急停止装置であって、自動車に積載されたバッテリー６からエンジン部８に電源供給する電気ケーブル７ａ、７ｂの間にスイッチ５を設け、前記スイッチ５は、アクセルペダル１が所定位置に踏み込まれたときにオフ作動することを特徴とする自動車エンジンの緊急停止装置。
【請求項２】
前記スイッチ５は、自動車のスロットルボディ３に取付け固定し、アクセルペダル１の踏込みに応じて連動する前記スロットルボディ内のスロットルバルブ回転軸３ａに連結した操作体４の接近またはアクチュエータ５ａへの当接によりオフ作動することを特徴とする請求項１記載の自動車エンジンの緊急停止装置。
【考案の詳細な説明】
【技術分野】
【０００１】  本考案は、自動車エンジンの緊急停止システムに係り、特にブレーキ・アクセルペダルの踏み間違い時に自動車を緊急停止させるための自動車エンジンの緊急停止システムに関する。
【背景技術】
【０００２】  近年、特に初心者や高齢者による自動車の運転で、ブレーキペダルとアクセルペダルの踏み間違いによる暴走事故が多発しており大きな社会問題となっている。
【先行技術文献】
【特許文献】
【０００３】
【特許文献１】実登第３１８４７６９号  公報
【特許文献２】特開２０１３−２３８１８２号  公報
【考案の概要】
【考案が解決しようとする課題】
【０００４】  自動車の運転中にブレーキペダルとアクセルペダルを踏み間違えると、自動車は意に反した動きとなるため、運転者はあわててペダルを踏み直すが、気が動転してパニック状態に陥った場合にはそのままアクセルペダルを強く踏み続ける動作を行うことが知られている。その結果、自動車は暴走し、大きな事故に繋がるという問題があった。【０００５】  本考案は、上述のようにブレーキペダルとアクセルペダルを踏み間違えたとき、運転者がそのままアクセルペダルを踏み続けた場合に自動車の暴走を防ぎ、たとえ事故に繋がってもその影響や度合いを最小限に抑えることを目的とする。
【課題を解決するための手段】
【０００６】  上記目的を達成するために、本考案の自動車エンジンの緊急停止装置は、自動車に積載されたバッテリーからエンジン部に電源供給する電気ケーブルの間にスイッチを設け、該スイッチは、自動車のスロットルボディに取付け固定し、アクセルペダルの踏込みに応じて連動するスロットルボディ内のスロットルバルブの回転軸に連結した操作体の接近またはアクチュエータへの当接によりオフ作動することを特徴としている。
【考案の効果】
【０００７】  本考案の自動車エンジンの緊急停止装置は、ブレーキペダルとアクセルペダルを踏み間違え、そのままアクセルペダルを踏み続けた場合に所定の位置で自動的にエンジンを停止することができるため自動車の暴走を防ぎ、たとえ事故が起こった場合でもその影響や度合いを最小限に抑えることができる。
【図面の簡単な説明】
【０００８】
【図１】本考案に係る自動車エンジンの緊急停止装置の構成を示す図である。
【考案を実施するための形態】
【０００９】  以下、本考案に係る自動車エンジンの緊急停止装置の実施の形態について、図１に基づいて説明する。
図１に示すアクセルペダル１は自動車の運転席の足元付近にブレーキペダルとともに設置されており、アクセルペダル１を運転者が踏み込むとこのペダル１に連結・連動されたワーヤケーブル２によりスロットルボディ３の図示しないスロットルバルブが開きエンジン部８に空気が供給されエンジンの回転数が上昇する。
【００１０】  スイッチ５は、バッテリ６とエンジン部８の間に電気ケーブル７ａ、７ｂにより接続されており、スロットルボディ３に取付け固定されている。通常、バッテリ６からの電流を常時オンの状態となっている。
【００１１】  また、スイッチ５のオフ作動を生起する操作体４は、スロットルボディ３のスロットルバルブ回転軸３ａに連結され、この回転軸３ａの回転に連動して回転軸３ａを中心に回転する。
【００１２】  操作体４は、アクセルペダル１が踏み込まれた場合、図１の矢印の方向に回転移動し、スイッチ５のアクチュエータ５ａに当接したときにスイッチ５はオフ作動する。この動作は、一般回路図ではａ接点に相当する。
【００１３】  本実施例では、スイッチをいわゆる押しボタン式のものとしているが、これに替えて近接スイッチやマイクロスイッチを用いてもよく、また、操作体が非接触の近接スイッチなどを用いてもよい。
【００１４】  運転者がブレーキペダルとアクセルペダルを踏み間違え、そのままアクセルペダルを踏み続けたとき、操作体４がスイッチ５のアクチュエータ５ａを押すため、スイッチ５はオフ作動し、バッテリ６からのエンジン部８への電流供給が停止するためエンジンは非常停止する。その後、自動車は慣性で前進するが駆動トルクがないためたとえ物体に衝突してもその影響を最小限に抑えることができる。
【００１５】  運転者がアクセルペダル１を踏み離すと、スイッチ５はオン作動し、いつでもエンジンを起動する状態となる。
【符号の説明】
【００１６】  １    アクセルペダル
２    ワイヤケーブル
３    スロットルボディ
３ａ  スロットルバルブ回転軸
４    操作体
５    スイッチ
５ａ  アクチュエータ
６    バッテリー
７ａ、７ｂ  電気ケーブル
８    エンジン部
【図１】
0003214447.tif 000003
(57)【要約】      （修正有）【課題】洋服の上から、老若男女を問わず自然に気軽に装着できる姿勢矯正ベルト付きリュックサックを供給する。【解決手段】ポリプロピレン、ポリエステル、ポリウレタン等の伸縮性があり強度のある化学繊維を素材として、姿勢矯正ベルトを作成し、それに、ナイロン、ポリエステル等の化学繊維で作成されたリュックサックを縫い付けて一体化する。リュックサックの背中側に、姿勢矯正ベルトが通る袋状の通り道をつける。通り道は、背中を交差しており、姿勢矯正ベルトを通した時に、右肩方向から左下に向かって通ってきたものは、左腰に端がでており、左肩方向から右下に向かって通ってきたものは、右腰に端が出ている。それぞれの端は、腰に巻くベルトに添って面ファスナーで締め具合を調節できるようにする。【選択図】図１
0003214444.tif 000002
【実用新案登録請求の範囲】
【請求項１】
ポリプロピレン、ポリエステル、ポリウレタン等の伸縮性があり強度のある化学繊維を素材として、姿勢矯正ベルトを作成し、それにナイロンやポリエステル等の化学繊維素材で作成されたリュックサックを縫い付け姿勢矯正ベルトとリュックサックを一体化して使用することを特徴とする姿勢矯正ベルト付きリュックサック。
【考案の詳細な説明】
【技術分野】
【０００１】本考案は、猫背、巻き肩等の姿勢を矯正するベルト付きのリュックサックに関するものである。
【背景技術】
【０００２】従来、姿勢を矯正するベルトは種類も多く商品化されている。また、女性用下着のブラジャーに組み込んだ商品も出ている。
【考案の概要】
【考案が解決しようとする課題】
【０００３】男性でも女性でも高齢者でも、若者でも上着の上から、自然な形で簡単に姿勢矯正ベルトを装着することができる。
【課題を解決するための手段】
【０００４】リュックサックの背負いベルトを姿勢矯正ベルトに替える。
【考案の効果】
【０００５】従来の姿勢矯正ベルトは、洋服の下に付けるようになっていたので、いったん付けると外すことが難しかった。この姿勢矯正ベルト付きリュックサックは、洋服の上から手軽に装着でき、また手間なく外せる。【０００６】ブラジャーに組み込まれた製品は、女性のみしか利用することができなかったが、この姿勢矯正ベルトつきリュックサックは、老若男女を問わず装着することができる。スマホ、コンピューター等が普及し若者も猫背が増えてきつつある中、若者が気軽に装着できるデザインと機能性を備えている。また、高齢化社会で、背中が曲がっている人も増えつつある中、高齢者向きのデザインを開発し、高齢者の健康維持に役立てることが出来る。
【図面の簡単な説明】
【０００７】
【図１】姿勢矯正ベルト付きリュックサックを背負った時の背面図
【図２】姿勢矯正ベルト付きリュックサックを背負った時の正面図
【考案を実施するための形態】
【０００８】リュックサックの背中側に、姿勢矯正ベルトが通る袋状の通り道をつける。その通り道は、背中を交差しており、姿勢矯正ベルトを通した時に、右肩方向から左下に向かって通ってきたものは、左腰に端がでており、左肩方向から右下に向かって通ってきたものは、右腰に端が出ている。それぞれの端は、腰に巻くベルトに添って面ファスナーで締め具合を調節できるようにする。
【実施例】
【０００９】以下添付図に従って、一実施例を説明する。図１の１は、右側の肩に掛かるベルトであり、背中で筒状に縫った布の通り道４を通って背中を右肩から左腰に向かって斜めによこぎる。左腰では、腰ベルト５の筒状に縫った通り道６を通され前正面左側にベルトの端が出てきて面ファスナーで腰ベルト５に巻かれ締め具合を調節する。２は、左肩に掛かるベルトであり、背中で筒状に縫った布の通り道４を通って背中を左肩から右腰に向かって斜めに横切る。背中の真ん中あたりで、１のベルトと交差する。２のベルトは右腰で腰ベルト５の筒状に縫った通り道６を通され前正面右側にベルトの端が出てきて面ファスナー７で腰ベルト５に巻かれ締め具合を調節する。また、ベルト１・２とリュックサック３を一体化して背中にに添いやすくするために、ベルト１・２の布の通り道をリュックサック３とサンドイッチするように、板状の厚めの不織布をリュックサックの背中側に当たる面全体に縫い付けてもよい。【００１０】図１のベルト１・２が通る筒状に縫われたものに、リュックサック３を縫い付ける。
図２は、姿勢矯正ベルト付きリュックサックを正面から見た図である。
【符号の説明】
【００１１】１右肩から左腰にかけて横切るベルト
２左肩から右腰にかけて横切るベルト
３４の筒状に縫った布の通り道に縫い付けられたリュックサック
４ベルト１・２が通る筒状に縫った布の通り道
５背中で交差する左右の肩ベルトを添わせ体の正面まで持ってくる腰ベルト
６腰ベルトに縫い付けられた布でできた筒状のベルト１・２の通り道
７腰ベルトに縫い付けられた面ファスナー
【図１】
0003214444.tif 000003
【図２】
0003214444.tif 000004